(57)【要約】      （修正有）【課題】従来のゲル押出ガンに設けられるトリガーを引くことにより、ゲルと硬化剤を同時に押出すことができ、そうすると、ゲルと硬化剤が混合され、ゲルを快速に固化することができる二液収容可能型容器を提供する。【解決手段】中空なチューブ１１であり、その前端に原料排出チューブ部１２が成形されるメーン原料チューブ１と、メーン原料チューブ１内に組み付けられ、小径なブッシュから大径なブッシュへ順次に嵌合して構成されるスリーブ２１と、原料排出チューブ部２２と、を含み、スリーブ２１の開口２２４がメーン原料チューブ１の原料排出チューブ部１２に対応する補助原料チューブ２と、を備える。【選択図】図１
2010143643.tif 000002
【特許請求の範囲】
【請求項１】
中空なチューブであり、その前端に原料排出チューブ部が成形されるメーン原料チューブと、
前記メーン原料チューブ内に組み付けられ、小径なブッシュから大径なブッシュへ順次に嵌合して構成されるスリーブと、原料排出チューブ部と、を含み、前記スリーブの開口が前記メーン原料チューブの前記原料排出チューブ部に対応する補助原料チューブと、を備えることを特徴とする二液収容可能型容器。
【請求項２】
更に、前記メーン原料チューブの前端にある原料排出チューブ部の内周面には、定位リブが複数設けられ、前記複数の定位リブにより環状穴が形成され、前記補助原料チューブには、更に、前記環状穴に挿入可能な原料排出チューブ部が設けられ、前記原料排出チューブ部の後端には、前記スリーブの前記開口に嵌合可能な接合段が形成され、前記接合段の前側には、前記定位リブの後端に押付ける押付縁が形成され、前記原料排出チューブ部には、前記定位リブの前端に係止する係止縁が成形され、前記補助原料チューブの前記原料排出チューブ部の前段に開口が形成されることを特徴とする、請求項１に記載の二液収容可能型容器。
【請求項３】
更に、塞ぎブッシュを含み、前記塞ぎブッシュにより前記メーン原料チューブと前記補助原料チューブとの前端がカバーされ、前記塞ぎブッシュには、前記メーン原料チューブの前端にある前記原料排出チューブ部に対応する収容空間が設けられ、前記収容空間の底部には、前記補助原料チューブの前記原料排出チューブ部の前記開口に対応するチェンバーが設けられることを特徴とする、請求項２に記載の二液収容可能型容器。
【発明の詳細な説明】
【技術分野】
【０００１】
本発明は二液収容可能型容器に関し、特に、メーン原料チューブと、前記メーン原料チューブ内に設けられる補助原料チューブと、から構成され、メーン原料チューブにゲルが収容され、補助原料チューブに硬化剤が収容され、従来のゲル押出ガンに設けられるトリガーを引くことにより、ゲルと硬化剤を同時に押出すことができ、そうすると、ゲルと硬化剤が混合され、ゲルを快速に固化することができる二液収容可能型容器に関するものである。
【背景技術】
【０００２】
防水性を有する市販しているエポキシなどの樹脂は、浴室のタイルにある隙間の補修、養魚槽やガラスの補強、又は屋根の隙間の補修などに適用される。一般のゲルは、ゲル押出ガンにより押し出された後、所定時間を過ごさないと固化しない。これにより、垂直面にゲルを押出した直後に、固化しないゲルが垂れ易い。そのため、補修したい箇所を良く補修できないことの他に、ゲルが補修したくない箇所に垂れてゴミやホコリなどが補修したくない箇所に付着する。
【発明の概要】
【発明が解決しようとする課題】
【０００３】
本発明は上記した問題を解消することを目的とするもので、メーン原料チューブと、前記メーン原料チューブ内に設けられる補助原料チューブと、から構成され、メーン原料チューブにゲルが収容され、補助原料チューブに硬化剤が収容され、従来のゲル押出ガンに設けられるトリガーを引くことにより、メーン原料チューブと補助原料チューブを同時に押出すことができ、そうすると、ゲルと硬化剤が混合され、ゲルを快速に固化することができる二液収容可能型容器を提供することにある。
【課題を解決するための手段】
【０００４】
本発明の二液収容可能型容器によると、中空なチューブであり、その前端に原料排出チューブ部が成形されるメーン原料チューブと、
前記メーン原料チューブ内に組み付けられ、小径なブッシュから大径なブッシュへ順次に嵌合して構成されるスリーブと、原料排出チューブ部と、を含み、前記スリーブの開口が前記メーン原料チューブの前記原料排出チューブ部に対応する補助原料チューブと、
を備えることを特徴とする。
【０００５】
本発明の二液収容可能型容器によると、更に、前記メーン原料チューブの前端にある原料排出チューブ部の内周面には、定位リブが複数設けられ、前記複数の定位リブにより環状穴が形成され、前記補助原料チューブには、更に、前記環状穴に挿入可能な原料排出チューブ部が設けられ、前記原料排出チューブ部の後端には、前記スリーブの前記開口に嵌合可能な接合段が形成され、前記接合段の前側には、前記定位リブの後端に押付ける押付縁が形成され、前記原料排出チューブ部には、前記定位リブの前端に係止する係止縁が成形され、前記補助原料チューブの前記原料排出チューブ部の前段に開口が形成されることを特徴とする。
【０００６】
本発明の二液収容可能型容器によると、更に、塞ぎブッシュを含み、前記塞ぎブッシュにより前記メーン原料チューブと前記補助原料チューブとの前端がカバーされ、前記塞ぎブッシュには、前記メーン原料チューブの前端にある前記原料排出チューブ部に対応する収容空間が設けられ、前記収容空間の底部には、前記補助原料チューブの前記原料排出チューブ部の前記開口に対応するチェンバーが設けられることを特徴とする。
【発明の効果】
【０００７】
本発明の二液収容可能型容器によれば、メーン原料チューブにゲルが収容され、補助原料チューブに硬化剤が収容され、従来のゲル押出ガンに設けられるトリガーを引くことにより、ゲルと硬化剤を同時に押出すことができる。そのため、ゲルと硬化剤が混合され、ゲルを快速に固化することができるという効果を有する。
【図面の簡単な説明】
【０００８】
【図１】本発明の一実施形態の二液収容可能型容器の分解斜視図である。
【図２】本発明の一実施形態の二液収容可能型容器の一部の拡大剖開図である。
【図３】本発明の一実施形態の二液収容可能型容器の断面図である。
【図４】ゲル押出ガンに本発明の一実施形態の二液収容可能型容器を組付けた状態の模式図である。
【図５】ゲル押出ガンに本発明の一実施形態の二液収容可能型容器を組付けた状態の模式図である。
【図６】本発明の一実施形態の二液収容可能型容器の使用状態を示す模式図である。
【図７】本発明の一実施形態の二液収容可能型容器の使用状態を示す模式図である。
【図８】本発明の一実施形態の二液収容可能型容器の使用状態を示す模式図である。
【図９】従来のものの斜視図である。
【発明を実施するための形態】
【０００９】
以下、本発明の実施の形態を図面に基づいて説明する。
まず、図１及び図２を参照する。
本発明の一実施形態の二液収容可能型容器は、メーン原料チューブ１と、補助原料チューブ２と、から構成される。
前記メーン原料チューブ１は、中空なチューブ１１であり、その前端に原料排出チューブ部１２が成形され、前記原料排出チューブ部１２の内周面には、定位リブ１３が複数設けられ、前記複数の定位リブ１３により環状穴１４が形成され、前記原料排出チューブ部１２の外周面に外ねじ段１５が成形される。
【００１０】
図３に示すように、前記補助原料チューブ２は、前記メーン原料チューブ１内に組み付けられ、小径なブッシュから大径なブッシュへ順次に嵌合して構成されるスリーブ２１と、原料排出チューブ部２２と、を含み、前記メーン原料チューブ１の前記定位リブ１３で形成される環状穴１４に前記原料排出チューブ部２２が挿入され、前記原料排出チューブ部２２の後端には、前記スリーブ２１に嵌合可能な接合段２２１が形成され、前記接合段２２１の前側には、前記定位リブ１３の後端に押付ける押付縁２２２が形成され、前記原料排出チューブ部２２には、前記定位リブ１３の前端に係止する係止縁２２３が成形され、前記原料排出チューブ部２２の前段に開口２２４が形成される。
【００１１】
更に、塞ぎブッシュ３を含む。前記塞ぎブッシュ３には、前記メーン原料チューブ１の前端にある前記原料排出チューブ部１２に対応する収容空間３１が設けられ、前記収容空間３１の壁面には、前記メーン原料チューブ１の前記原料排出チューブ部１２に設けられた外ねじ段１５に螺合する内ねじ段３２が設けられ、前記収容空間３１の底部には、前記補助原料チューブ２の前記原料排出チューブ部２２の前記開口２２４に対応するチェンバー３３が設けられる。
【００１２】
次に、図４及び図５を参照しながら本発明の使用方法を説明する。
まず、前記メーン原料チューブ１と前記補助原料チューブ２とをカバーする塞ぎブッシュ３を取外して、ゲル押出ガン４の原料押えロッド４１が前記メーン原料チューブ１と前記補助原料チューブ２の後端に押付けるように、前記ゲル押出ガン４に前記メーン原料チューブ１と前記補助原料チューブ２を取り付ける。このとき、前記メーン原料チューブ１にゲルが充填され、前記補助原料チューブ２に硬化剤が充填される。前記メーン原料チューブ１と前記補助原料チューブ２は一体に組み付けられる。
前記ゲル押出ガン４は、例えば台湾特許第５４０４３１号、台湾特許第４６９８７９号、台湾特許第４６９８８１号や台湾特許第１２１３０７号などに提案され市販している、原料押えロッド４１を有するゲル押出ガンが適用可能である。
【００１３】
図６から図８を参照する。この後、前記メーン原料チューブ１の前記原料排出チューブ部１２と、前記補助原料チューブ２の前記原料排出チューブ部２２とに、内部に螺旋形状を呈する攪拌ロッド４４１が設けられた注入チューブ４４を組付ける。
前記ゲル押出ガン４のハンドル４２を握って、前記ゲル押出ガン４のトリガー４３を引くときに、前記トリガー４３と連動する原料押えロッド４１が前記メーン原料チューブ１と前記補助原料チューブ２を前へ押す。このとき、前記ゲルと前記硬化剤は、前記原料押えロッド４１に絞られて、それぞれ前記原料排出チューブ部１２、２２から流出して、前記注入チューブ４４で前記攪拌ロッド４４１に攪拌されて混合して、前記注入チューブ４４から押し出される。
前記注入チューブ４４から押出された前記ゲルと前記硬化剤の混合物は、浴室のタイルにある隙間の補修、養魚槽やガラスの補強、屋根の隙間の補修、又は鉄筋やボルトのコンクリートへの植えなどに適用することができる。ゲルを快速に固化することができるので、垂直面に付けられるゲルが垂れず、これにより、補修したい箇所を良く補修することができ、そしてゲルで補修したくない箇所には、ゴミやホコリなどが付着しなくなる。
【００１４】
また、ゲル押出ガン４は、市販しているものを利用することができるので、特殊な仕様を有するものを別に購入して利用する必要がないので、工事の費用を低減することができる。
【産業上の利用可能性】
【００１５】
本発明は、二種類のゲルを同時に収容することができる二液収容可能型容器に適用することができる。
【符号の説明】
【００１６】
１：メーン原料チューブ、２：補助原料チューブ、３：塞ぎブッシュ、４：ゲル押出ガン、１１：チューブ、１２：原料排出チューブ部、１３：定位リブ、１４：環状穴、１５：外ねじ段、２１：スリーブ、２２：原料排出チューブ部、３１：収容空間、３２：内ねじ段、３３：チェンバー、４１：原料押えロッド、４２：ハンドル、４３：トリガー、４４：注入チューブ、２２１：接合段、２２２：押付縁、２２３：係止縁、２２４：開口、４４１：攪拌ロッド。
【図１】
2010143643.tif 000003
【図２】
2010143643.tif 000004
【図３】
2010143643.tif 000005
【図４】
2010143643.tif 000006
【図５】
2010143643.tif 000007
【図６】
2010143643.tif 000008
【図７】
2010143643.tif 000009
【図８】
2010143643.tif 000010
【図９】
2010143643.tif 000011